(57)【要約】【課題】プリント注文の対象となる撮影画像への写し込みの設定ミスを防止できるデジタルカメラを提供する。【解決手段】デジタルカメラでは、ファンクションキーとして働くメニューボタンが配設されており、プリント注文の対象となる撮影画像を表示するプリント設定画面においてプリント設定を行えるプリントモードを有している。このプリントモードでは、メニューボタンの押下により、撮影画像に対して撮影日時の写し込みがない設定と、写し込みがある設定とを切替えられ、さらに写し込みがある場合でも、その写し込み位置を表示Ｇｐ５１や表示Ｇｐ５２のように変更できる。その結果、撮影画像に写し込みが行われたプリントイメージを確認でき、写し込みの設定ミスを防止できる。【選択図】図１８
2005117453.tif 000002
【特許請求の範囲】
【請求項１】
デジタルカメラであって、
(a)撮影画像がプリントされた場合のプリントイメージを表示可能な表示部と、
(b)前記撮影画像に対して写し込みの設定を行う写し込み設定手段と、
(c)前記写し込み設定手段による前記写し込みの設定を反映した前記プリントイメージを前記表示部に表示させる表示制御手段と、
を備えることを特徴とするデジタルカメラ。
【請求項２】
請求項１に記載のデジタルカメラにおいて、
(d)前記表示制御手段により前記プリントイメージの表示を行うプリントプレビューモードと、記録された撮影画像を前記表示部に再生表示させる再生モードとを選択的に設定可能なモード設定手段、
をさらに備え、
前記モード設定手段によって前記プリントプレビューモードに設定される場合には、前記写し込み設定手段で設定された写し込みの内容を前記表示部に表示する一方、前記再生モードに設定される場合には、前記写し込みの内容を前記表示部に表示しないことを特徴とするデジタルカメラ。
【請求項３】
請求項１に記載のデジタルカメラにおいて、
(e)前記表示部の近傍に配設されている１の操作部材と、
(f)前記１の操作部材に対する操作入力に応答して、前記写し込み手段による写し込みの有無の設定を切替える切替手段と、
をさらに備えることを特徴とするデジタルカメラ。
【請求項４】
請求項１に記載のデジタルカメラにおいて、
(e)前記表示部の近傍に配設されている１の操作部材と、
(f)前記１の操作部材に対する操作入力に応答して、前記写し込み手段による写し込みの態様を変更する変更手段と、
をさらに備えることを特徴とするデジタルカメラ。
【請求項５】
請求項３または請求項４に記載のデジタルカメラにおいて、
前記１の操作部材は、前記表示制御手段により前記プリントイメージの表示を行うプリントプレビューモードと、前記プリントプレビューモード以外の他のモードとで割当てられる機能が異なることを特徴とするデジタルカメラ。
【請求項６】
請求項５に記載のデジタルカメラにおいて、
前記１の操作部材は、ファンクションキーであり、前記表示制御手段によって写し込みの内容が表示される前記表示部の画面位置の近傍に配設されていることを特徴とするデジタルカメラ。
【請求項７】
請求項１に記載のデジタルカメラにおいて、
前記写し込み手段は、
(b-1)１の操作部材に対する操作入力によって、記録されている全ての撮影画像に対して写し込みの設定を行う設定手段、
を有し、
前記表示制御手段による前記プリントイメージの表示では、前記設定手段による写し込みの設定内容が前記全ての撮影画像について反映されることを特徴とするデジタルカメラ。
【請求項８】
請求項１に記載のデジタルカメラにおいて、
前記写し込み手段は、
(b-2)１の操作部材に対する操作入力によって、所定のフォルダに記録されている全ての撮影画像に対する写し込みの設定を行う手段、
を有することを特徴とするデジタルカメラ。
【請求項９】
請求項１に記載のデジタルカメラにおいて、
前記写し込み手段は、
(b-3)前記プリント注文の対象とされた撮影画像のみに対して、プリント時の写し込みの設定を行う手段、
を有することを特徴とするデジタルカメラ。
【請求項１０】
請求項１に記載のデジタルカメラにおいて、
前記写し込み手段は、
(b-4)前記写し込みの設定に関する情報を、前記撮影画像に係る画像タグに記録する手段、
を有することを特徴とするデジタルカメラ。
【発明の詳細な説明】
【技術分野】
【０００１】
本発明は、撮影画像に対して写し込みの設定を行うデジタルカメラに関する。
【背景技術】
【０００２】
従来のデジタルカメラにおいては、プリント注文する場合にプリントハードコピーの仕上がりイメージ(プリントイメージ)をデジタルカメラのモニタに表示する技術が、例えば特許文献１に開示されている。
【０００３】
一方、例えば特許文献２には、撮影画像に対してロゴやマークの合成が行えるデジタルカメラが開示されている。
【０００４】
【特許文献１】特開２００１−２８７０１号公報
【特許文献２】特開２００２−１６８３３号公報
【発明の開示】
【発明が解決しようとする課題】
【０００５】
上記の特許文献１や特許文献２に記載のデジタルカメラでは、撮影画像のプリントイメージを表示することや、撮影画像に対する合成処理が行えるものの、プリント注文の設定を行う場合において撮影日時などの写し込みが行われた撮影画像のプリントイメージを表示するという発想がなく、写し込みがなされたプリントイメージを確認できないため、写し込みの設定ミスが生じる可能性がある。
【０００６】
本発明は、上記課題に鑑みてなされたものであり、プリント注文の対象となる撮影画像への写し込みの設定ミスを防止できるデジタルカメラを提供することを目的とする。
【課題を解決するための手段】
【０００７】
上記の課題を解決するため、請求項１の発明は、デジタルカメラであって、(a)撮影画像がプリントされた場合のプリントイメージを表示可能な表示部と、(b)前記撮影画像に対して写し込みの設定を行う写し込み設定手段と、(c)前記写し込み設定手段による前記写し込みの設定を反映した前記プリントイメージを前記表示部に表示させる表示制御手段とを備える。
【０００８】
また、請求項２の発明は、請求項１の発明に係るデジタルカメラにおいて、(d)前記表示制御手段により前記プリントイメージの表示を行うプリントプレビューモードと、記録された撮影画像を前記表示部に再生表示させる再生モードとを選択的に設定可能なモード設定手段をさらに備え、前記モード設定手段によって前記プリントプレビューモードに設定される場合には、前記写し込み設定手段で設定された写し込みの内容を前記表示部に表示する一方、前記再生モードに設定される場合には、前記写し込みの内容を前記表示部に表示しない。
【０００９】
また、請求項３の発明は、請求項１の発明に係るデジタルカメラにおいて、(e)前記表示部の近傍に配設されている１の操作部材と、(f)前記１の操作部材に対する操作入力に応答して、前記写し込み手段による写し込みの有無の設定を切替える切替手段とをさらに備える。
【００１０】
また、請求項４の発明は、請求項１の発明に係るデジタルカメラにおいて、(e)前記表示部の近傍に配設されている１の操作部材と、(f)前記１の操作部材に対する操作入力に応答して、前記写し込み手段による写し込みの態様を変更する変更手段とをさらに備える。
【００１１】
また、請求項５の発明は、請求項３または請求項４の発明に係るデジタルカメラにおいて、前記１の操作部材は、前記表示制御手段により前記プリントイメージの表示を行うプリントプレビューモードと、前記プリントプレビューモード以外の他のモードとで割当てられる機能が異なる。
【００１２】
また、請求項６の発明は、請求項５の発明に係るデジタルカメラにおいて、前記１の操作部材は、ファンクションキーであり、前記表示制御手段によって写し込みの内容が表示される前記表示部の画面位置の近傍に配設されている。
【００１３】
また、請求項７の発明は、請求項１の発明に係るデジタルカメラにおいて、前記写し込み手段は、(b-1)１の操作部材に対する操作入力によって、記録されている全ての撮影画像に対して写し込みの設定を行う設定手段を有し、前記表示制御手段による前記プリントイメージの表示では、前記設定手段による写し込みの設定内容が前記全ての撮影画像について反映される。
【００１４】
また、請求項８の発明は、請求項１の発明に係るデジタルカメラにおいて、前記写し込み手段は、(b-2)１の操作部材に対する操作入力によって、所定のフォルダに記録されている全ての撮影画像に対する写し込みの設定を行う手段を有する。
【００１５】
また、請求項９の発明は、請求項１の発明に係るデジタルカメラにおいて、前記写し込み手段は、(b-3)前記プリント注文の対象とされた撮影画像のみに対して、プリント時の写し込みの設定を行う手段を有する。
【００１６】
また、請求項１０の発明は、請求項１の発明に係るデジタルカメラにおいて、前記写し込み手段は、(b-4)前記写し込みの設定に関する情報を、前記撮影画像に係る画像タグに記録する手段を有する。
【発明の効果】
【００１７】
請求項１ないし１０の発明によれば、写し込み設定手段による写し込みの設定を反映したプリントイメージを表示部に表示させるため、写し込みの設定ミスを防止できる。
【００１８】
特に、請求項２の発明においては、プリントプレビューモードに設定される場合には写し込みの内容を表示部に表示する一方、再生モードに設定される場合には写し込みの内容を表示部に表示しない。プリントプレビューモードでは写し込みが行われたプリントイメージを視認する必要があるが、再生モードでは撮影画像全体を視認する必要があるため、この使い分けを自動的に行え、利便性が向上する。
【００１９】
また、請求項３の発明においては、１の操作部材に対する操作入力に応答して写し込み手段による写し込みの有無の設定を切替えるため、簡易に写り込みに関する設定を行え、操作性が向上する。
【００２０】
また、請求項４の発明においては、１の操作部材に対する操作入力に応答して写し込み手段による写し込みの態様を変更するため、簡易に写り込みに関する設定を行え、操作性が向上する。
【００２１】
また、請求項５の発明においては、１の操作部材がプリントプレビューモードと、プリントプレビューモード以外の他のモードとで割当てられる機能が異なるため、１の操作部材の兼用化が図れ、デジタルカメラの小型化およびコストダウンに寄与できる。
【００２２】
また、請求項６の発明においては、１の操作部材はファンクションキーであり、表示制御手段によって写し込みの内容が表示される表示部の画面位置の近傍に配設されているため、１の操作部材の機能を直感的に把握でき、誤操作を防止できる。
【００２３】
また、請求項７の発明においては、１の操作部材に対する操作入力によって記録されている全ての撮影画像に対して写し込みの設定を行い、表示制御手段によるプリントイメージの表示では写し込みの設定内容が全ての撮影画像について反映される。その結果、プリント対象となり得る全ての画像について個別に写し込みの設定を行う労力を削減できる。
【００２４】
また、請求項８の発明においては、１の操作部材に対する操作入力によって所定のフォルダに記録されている全ての撮影画像に対する写し込みの設定を行うため、プリント対象となり得る全ての画像について個別に写し込みの設定を行う労力を削減できる。
【００２５】
また、請求項９の発明においては、プリント注文の対象とされた撮影画像のみに対してプリント時の写し込みの設定を行うため、プリント対象でない撮影画像に対して無駄な写し込みの設定を防止できる。
【００２６】
また、請求項１０の発明においては、写し込みの設定に関する情報を撮影画像に係る画像タグに記録する。撮影画像データに対して直接写し込みが行われると写し込まれた画像部分のデータが欠落するという不都合が生じるが、これにより本不都合を解消できる。
【発明を実施するための最良の形態】
【００２７】
以下、本発明の実施形態を図面に基づいて説明する。
【００２８】
＜構成概要＞
図１および図２は、本発明の実施形態に係るデジタルカメラ１の外観構成を示す図である。図１は正面側からみた概略斜視図であり、図２は背面側からみた概略斜視図である。
【００２９】
図１および図２に示すように、デジタルカメラ１は、薄型の略直方体形状を有している。
【００３０】
図１に示すように、デジタルカメラ１は、その正面側に撮影レンズ２と光学ファインダー４とフラッシュ６とを備えており、その上面側に電源ボタン３とシャッタボタン（レリーズボタン）９とマイク１２とを備えている。また、図２に示すように、デジタルカメラ１は、その背面側に液晶表示部（以下、ＬＣＤという。）５とボタン群７，８とクイックレビューボタン（以下、ＱＶボタンとも称する）１１とプリントボタン１３とを備えている。ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、ボタン群８はメニューボタン８ａと液晶モニタボタン８ｂとフラッシュモードボタン８ｃとを有している。さらに、図１および図２に示すように、デジタルカメラ１は、その側方の面に蓋１４とＤＣ入力端子１５とＵＳＢ端子１６とＡＶ出力端子１７とを備えている。
【００３１】
後述するように、デジタルカメラ１は、撮影レンズ２からの被写体像をＣＣＤ（撮像素子）２０（図３）によって光電変換することなどによって、被写体に関する画像データを取得する。
【００３２】
また、電源ボタン３は、電源のオン操作およびオフ操作を受け付けるために用いられる。具体的には、電源ボタン３を押下するごとにオン状態への移行とオフ状態への移行とが交互に繰り返される。
【００３３】
シャッタボタン９はユーザ（操作者）による半押し状態（以下、Ｓ１状態とも称する）と全押し状態（以下、Ｓ２状態とも称する）とを区別して検出可能な２段階押し込みスイッチとなっており、半押し(Ｓ１)状態のときに自動合焦制御を開始し、全押し(Ｓ２)状態のときに記録用画像を撮影するための本撮影動作を開始する。
【００３４】
ＬＣＤ５は、本撮影動作前のプレビュー表示（ライブビュー表示とも称する）及び記録画像の再生表示等を行う。また、ＬＣＤ５は、所定数（ここでは３２０×２４０）の表示画素を有しており、カラー画像を表示することができる。
【００３５】
ライブビュー表示では、デジタルカメラ１の電源オン後や本撮影が完了すると、１／３０秒ごとに低解像度で被写体の撮像を繰り返し、撮像画像をＬＣＤ５に動画的態様で表示する。これにより、操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００３６】
また、ＱＶボタン１１は、これを押下することにより、撮影モードと再生モードとが切り替えられる。この撮影モードとは、写真撮影を行うモードであり、再生モードとは、メモリカードに記録された撮影画像をＬＣＤ５に再生表示するモードである。本実施形態のデジタルカメラ１では、電源ボタン３の押下による電源オン時には撮影モードに設定されているが、ＱＶボタン１１を押下することよって再生モードに切替わり、さらにＱＶボタン１１を押下することにより撮影モードに移行する。このようにＱＶボタン１１が押下される度に、撮影・再生モードがサイクリックに切替わることとなる。
【００３７】
メニューボタン８ａは、撮影モードおよび再生モードでＬＣＤ５へのメニューの表示および非表示を切り替える機能を有している。たとえば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００３８】
液晶モニタボタン８ｂは、液晶モニタであるＬＣＤ５の表示・非表示を切り替えるためのボタンである。液晶モニターボタン８ｂが押下されるごとに、ＬＣＤ５に画像等が表示された状態（表示状態）と表示されない状態（非表示状態）とが交互に切り替わる。非表示状態にしておけば消費電力を低減できる。
【００３９】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００４０】
また、マイク１２は、動画撮影、ボイスメモ、ボイスレコーディング、アフターレコーディング（アフレコ）時において、音声データを取得する（録音する）ために用いられる。
【００４１】
プリントボタン１３は、プリントモード（後述）に移行させるためのボタンである。
【００４２】
蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカード９０を装着するメモリカード装着部とが設けられている。電源電池ＢＴおよびメモリカード９０は、それぞれ、電池室およびメモリカード装着部に対して着脱自在に装着される。本撮影によって得られる画像データ等は、この挿入装着部にセットされるメモリカード９０に記録される。また、デジタルカメラ１は、電源電池ＢＴからの電力供給を受けることもできるし、ＤＣ入力端子１５を用いてＡＣアダプタ（不図示）等からの電力供給を受けることもできる。
【００４３】
ＵＳＢ端子１６は、パーソナルコンピュータ（パソコンとも略称する）等とのデータ通信を行うための端子である。ＵＳＢ端子１６にＵＳＢ規格のケーブル等を接続することによって外部機器（パソコン等）とのデータ通信を行うことができる。
【００４４】
ＡＶ出力端子１７は、テレビなどの外部映像音響機器（ＡＶ機器）に接続するための端子である。所定のＡＶコードを用いてこのＡＶ出力端子１７と外部映像音響機器側の入力端子とを接続することによって、その外部映像音響機器に画像および／または音声を出力することができる。
【００４５】
次に、図３を参照しつつ、デジタルカメラ１の内部構成について説明する。図３は、デジタルカメラ１の内部機能を示すブロック図である。
【００４６】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００４７】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００４８】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。
【００４９】
また、マイク１２から得られる音声信号は、音声処理部５３に入力される。音声処理部５３に入力された音声信号は音声処理部５３内に設けられたＡ／Ｄ変換器（不図示）によりデジタル信号に変換され、一時的にバッファメモリ５４に格納される。
【００５０】
操作部３０は、上述した電源ボタン３、ボタン群７、８、シャッタボタン９、ＱＶボタン１１等を含む操作部であり、ユーザがデジタルカメラ１の設定状態を変更操作する際や撮影操作を行う際等に用いられる。
【００５１】
電源４０は、デジタルカメラ１に対する電力供給源である。デジタルカメラ１は、リチウムイオン電池などの二次電池を電源電池ＢＴとして用いて駆動される。
【００５２】
リアルタイムクロック４５は、現在時刻を取得するためのもので、後述の写し込みで行われる撮影日時の取得に利用される。
【００５３】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリであり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。
【００５４】
全体制御部５０は、画像処理部５１、圧縮／伸張部５２および音声処理部５３を有している。これらの各処理部５１，５２，５３は、マイクロコンピュータが所定のプログラムを実行することにより実現される機能部である。
【００５５】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００５６】
このような構成を有する全体制御部５０によって、撮影モード、再生モードおよびプリントモードでの処理が行われる。例えば、撮影モードにおいてシャッターボタン９が操作者によって半押し（Ｓ１状態）されると、ＣＣＤ２０から出力される画像データに基づきＡＦ評価値を求め、周知の山登り方式によって合焦位置に撮影レンズを移動させる。また、ＣＣＤ２０で読みとった被写体の輝度情報に基づいて、本撮影時のシャッタースピードと絞りの値とオートホワイトバランスのゲイン設定値とを決定する。
【００５７】
一方、全体制御部５０は、撮影モードにおいてシャッタボタンが全押し（Ｓ２状態）されると、ＣＣＤ２０の解像度を高解像度に設定した後に被写体を撮像し、ＣＣＤ２０で取得された撮影画像データに基づき圧縮／伸張部５２で圧縮画像を生成する。そして、圧縮された高解像度の画像データは、記録媒体として機能するメモリカード９０に記録されることとなるが、このメモリカード９０におけるデータ構造を以下で説明する。
【００５８】
図４は、メモリカード９０のデータ配列を示す図である。メモリカード９０には、デジタルカメラ１によって記録された静止画像および動画像の各コマが順に配列して記憶される。各コマは、ファイル属性ＡＴとタグ情報ＴＧとＪｐｅｇ形式で圧縮された高解像度画像データＨＤ(１６００×１２００画素)とサムネイル表示用のサムネイル画像データＳＤ（３２０×２４０画素)とが記録されている。このファイル属性ＡＴでは、読み取り専用属性(Ｒ)、アーカイブ属性(Ａ)、システムファイル属性(Ｓ)および隠しファイル属性(Ｈ)が設定可能となっている。ユーザによってファイルのプロテクトが設定される場合には、読み取り専用属性が設定されることとなる。また、タグＴＧでは、ファイル名、撮影日時、撮影に使用したデジタルカメラのシリアルナンバーおよび画像データに関連付けされた音声ファイルの情報が記録されている。この撮影日時については、リアルタイムクロック４５における撮影時の計時情報に基づきメモリカード９０に記録され、後述する写し込み設定において利用されることとなる。
【００５９】
また、メモリカード９０には、暗号化されているプリント単価情報が、枚数と単価との関係を記述したテーブルＴＢとして記憶されている。このプリント単価テーブルＴＢを参照すると、例えばプリントサイズがＬ版で９枚以下の場合には、プリント単価が￥４０に設定され、例えばプリントサイズが２Ｌ版で５０枚以上の場合にはプリント単価が￥５０に設定されることとなる。これにより、後述のプリント料金がＬＣＤ５に表示される。
【００６０】
また、ＱＶボタン１１の押下によって撮影モードから再生モードに移行すると、メモリカード９０内で最も大きなコマ番号の画像つまり直近に撮影された画像のデータが読み出された後、圧縮／伸張部５２でデータ伸張され、ＬＣＤ５に画像表示される。この再生モードでは、左ボタン７ｃ・右ボタン７ｄの押下によりコマの送り・戻しが可能である。
【００６１】
カードインタフェース（カードＩ／Ｆ）６０は、デジタルカメラ１側面の挿入装着部に対して装着されるメモリカード９０への画像データの書込み及び読出しを行うためのインタフェースである。
【００６２】
メモリカード９０に対する画像データの読み書き時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。また、音声データの読み書き時においてもカードインタフェース６０を介して音声データがバッファメモリ５４とメモリカード９０との間で送受信される。
【００６３】
さらに、デジタルカメラ１は、このカードインタフェース６０を用いて、画像および音声等のデータを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、制御プログラムを更新することなどが可能である。
【００６４】
また、ＵＳＢ端子１６などを介した外部機器（外部コンピュータなど）との通信によっても、画像あるいは音声などの各種のデータ、および制御プログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００６５】
＜プリントモードについて＞
プリントボタン１３がユーザによって押下されると、プリント設定を行うためのプリントモードに移行し、プリント設定画面が表示される。
【００６６】
プリントモードでは、プリント設定に関するプリント注文ファイルが作成されるが、このプリント注文ファイルについて、まず説明する。
【００６７】
図５は、プリント注文ファイルＰｆを説明するための図である。
【００６８】
メモリカード９０には、撮影画像フォルダＦａ内に複数の画像ファイルＧｆが格納されるとともに、撮影画像フォルダＦａと異なるフォルダＦｂにプリント注文ファイルＰｆが格納されている。
【００６９】
このプリント注文ファイルＰｆは、図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー情報Ｄｆ６で構成されている。ここで、ベンダー情報Ｄｆ６とは、デジタルカメラを製造するメーカー各社で独自に定義される情報で、例えば後述する写し込み位置や写し込みフォーマットがメーカーごとに記述されている。
【００７０】
以上のプリント注文ファイルＰｆを作成することにより、プリント注文時のユーザーの労力を削減できるが、このプリント注文ファイルＰｆにおける各種の情報Ｄｆ１〜Ｄｆ６を設定するためのプリント設定画面を、次で説明する。
【００７１】
図７は、プリント設定画面を説明するための図である。
【００７２】
ＬＣＤ５に表示されるプリント設定画面Ｇｐでは、プリント対象の画像Ｇｑに重畳して、プリント注文する画像の合計枚数を表示する合計枚数表示Ｇｐ１と、現在ＬＣＤ５に表示されている画像に対するプリント注文枚数をＬＣＤ５の画面の右上（特定部位）に示す注文枚数表示Ｇｐ２とが行われる。すなわち、プリント設定の対象となる撮影画像と当該撮影画像に対するプリント設定の有無とがＬＣＤ５に表示されることとなる。
【００７３】
一方、プリントボタン１３の押下によってプリントモードに移行すると、フラッシュモードボタン８ｃが保留ボタンとしての機能を発揮し、且つ、液晶モニタボタン８ｂが削除ボタンとしての機能を発揮することとなるが、プリント設定画面Ｇｐにおいては、これらの機能が割付けられたことを明示する「保留」表示Ｇｐ３および「削除」表示Ｇｐ４が行われる。
【００７４】
デジタルカメラ１においては、撮影画像がプリントされた場合のプリントイメージを優先するためにプリントサイズの縦横比に則して画像Ｇｑを表示するが、ＬＣＤ５の画面サイズおよびプリントサイズの縦横比が相違する場合には、例えばＬＣＤ５の画面の両端に余白部分Ｇｐｅ(平行斜線部)を表示して調整される。また、画像Ｇｑに対して撮影日付の写し込みを行う場合には、写し込まれる画像の部位に例えば「'03／5／7」のような日付表示Ｇｐ５が行われる。すなわち、写し込みの設定を反映した、つまり写し込み内容の表示を伴うプリントイメージがＬＣＤ５に表示されるプリントプレビューモードに設定されることとなる。この写し込みの設定については、後で詳述する。
【００７５】
そして、図７に示すプリント設定画面Ｇｐにおいて、右ボタン７ｄまたはプリントボタン１３が押下されることによって、図８に示すように次の画像(コマ)Ｇｒが表示されることとなる(後で詳述)。
【００７６】
次に、プリントモードにおける動作を以下で説明する。
【００７７】
図９〜図１１は、プリント設定画面Ｇｐ(図７)をＬＣＤ５に表示するプリントモードの動作を説明するための図である。ここで、図９はユーザの操作に対する画面遷移の関係を示しており、図１０および図１１は、コマ番号(ｎ)の画像を表示するプリント設定画面ＧＮ１１を中心として他の画面に遷移する様子を示している。以下の説明では、コマ番号(ｎ)の画像を、プリントモードに移行した直後に最後(最大)のコマ番号を有する画像と考えることとする。なお、図１１において、参照符号がＧＮで始まるブロックは表示画面に関する状態を示しており、参照符号がＳＴで始まるブロックは、デジタルカメラ１の動作を示している。これらの図９〜図１１を参照しつつ、プリントモードの動作を以下で列挙して説明する。
【００７８】
(１)左ボタン７ｃが押下されると、プリント設定画面で設定されている設定内容を確定させて、前のコマを表示するプリント設定画面に移行する。この場合には、左ボタン７ｃを押下する前の画像で選択されていたプリント注文枚数が、プリント合計枚数に加算され、合計枚数が更新される。
【００７９】
すなわち、図１１に示すコマ番号(ｎ)の画像を表示するプリント設定画面ＧＮ１１において、左ボタン７ｃが押下された場合には、コマ番号(ｎ)の画像に対するプリント注文の記録処理ＳＴ１２(後で詳述)を行い、コマ番号(ｎ−１)の画像のプリント設定画面ＧＮ１２に移行する。
【００８０】
具体的には、例えば、図８に示すようにプリント設定画面Ｇｐが表示される際に、左ボタン７ｃが押下された場合には、図１２に示すように、前のコマに該当する画像ＧｑがＬＣＤ５に表示されるとともに、合計枚数表示Ｇｐ１では、図８の合計枚数表示Ｇｐ１に示す「２１枚」よりも１枚増加した合計枚数「２２枚」が表示される。
【００８１】
(２)右ボタン７ｄが押下されると、プリント設定画面で設定されている設定内容を確定させて、次のコマを表示するプリント設定画面に移行する。この場合には、右ボタン７ｄを押下する前の画像で選択されていたプリント注文枚数が、プリント合計枚数に加算され、合計枚数が更新されることとなる。
【００８２】
すなわち、図１１に示すコマ番号(ｎ−１)の画像を表示するプリント設定画面ＧＮ１２において、右ボタン７ｄが押下された場合には、コマ番号(ｎ−１)の画像に対するプリント注文の記録処理Ｔ１３(後で詳述)を行い、コマ番号(ｎ)の画像のプリント設定画面ＧＮ１１に移行する。
【００８３】
具体的には、例えば、図７に示すようにプリント設定画面Ｇｐが表示される際に、右ボタン７ｄが押下された場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００８４】
(３)上ボタン７ａが押下されると、現在ＬＣＤ５に表示されているコマ(画像)のプリント枚数を増加させる。これにより、プリント枚数表示Ｇｐ２で示される枚数が増加することとなる。
【００８５】
(４)下ボタン７ｂが押下されると、現在ＬＣＤ５に表示されているコマ(画像)のプリント枚数を減少させる。これにより、プリント枚数表示Ｇｐ２で示される枚数が減少することとなる。なお、プリント枚数のデフォルト値は１枚に設定されており、プリント枚数の下限値は０枚である。
【００８６】
(５)メニューボタン８ａが押下されると、プリントメニュー画面(後述)をＬＣＤ５に表示する。
【００８７】
(６)削除ボタン８ｂが押下されると、現在ＬＣＤ５に表示されているコマ(画像)を削除して、次のコマを表示するプリント設定画面に移行する。この削除ボタン８ｂは、撮影された画像データを削除するファンクションキーとして機能する。ただし、削除ボタン８ｂが押下されても、プロテクトがかけられた、具体的には図４に示すファイル属性で読み取り専用属性に設定された画像の削除は行えないものとする。
【００８８】
例えば、図１１に示すコマ番号(ｎ−１)の画像を表示するプリント設定画面ＧＮ１２において、削除ボタン８ｂが押下された場合には、コマ番号(ｎ−１)の画像に対する削除処理ＳＴ１４を行い、コマ番号(ｎ)の画像を表示するプリント設定画面ＧＮ１１に移行する。
【００８９】
なお、図１１に示す最大のコマ番号(ｎ)の画像を表示するプリント設定画面ＧＮ１１において削除ボタン８ｂが押下された場合には、コマ番号(ｎ)の画像に対する削除処理ＳＴ１１を行った後、その削除処理後の最大コマ番号(ｎ−１)の画像を表示するプリント設定画面ＧＮ１２に移行する。
【００９０】
(７)保留ボタン８ｃが押下されると、現在ＬＣＤ５に表示されているコマ(画像)のプリント枚数を０枚にして、次のコマを表示するプリント設定画面に移行する。
【００９１】
すなわち、図１１に示すコマ番号(ｎ−１)の画像を表示するプリント画面ＧＮ１１において、保留ボタン８ｃが押下された場合には、コマ番号(ｎ−１)の画像に関するプリント注文内容をチェックし、プリントの注文枚数が１枚以上であるときには、コマ番号(ｎ−１)の画像に関する注文内容を削除、つまりプリント枚数を０枚に設定する処理ＳＴ１７を行う。そして、コマ番号(ｎ)の画像を表示するプリント設定画面ＧＮ１２に移行する。
【００９２】
なお、図１１に示すコマ番号(ｎ)の画像を表示するプリント設定画面ＧＮ１１において、保留ボタン８ｃが押下された場合には、コマ番号(ｎ)の画像に関するプリント注文ファイルの注文内容をチェックし、プリントの注文枚数が１枚以上であるときには、コマ番号(ｎ)の画像に関する注文内容を削除、つまりプリント枚数を０枚に設定する処理ＳＴ１６を行う。ここでは、コマ番号(ｎ)が最大で次のコマが存在しないため、コマ番号(ｎ)の画像を表示するプリント設定画面ＧＮ１１に復帰する。
【００９３】
(８)プリントボタン１３が押下されると、プリント設定画面で設定されている設定内容を確定させて、次のコマを表示するプリント設定画面に移行する。
【００９４】
すなわち、図１１に示すコマ番号(ｎ−１)の画像を表示するプリント設定画面ＧＮ１２において、プリントボタン１３が押下された場合には、コマ番号(ｎ−１)の画像に対する注文処理ＳＴ１３(後で詳述)を行い、コマ番号(ｎ)の画像を表示するプリント設定画面ＧＮ１１に移行する。
【００９５】
具体的には、例えば、図７に示すようにプリント設定画面Ｇｐが表示される際に、プリントボタン１３が押下される場合には、図８に示すように、次のコマに該当する画像ＧｒがＬＣＤ５に表示されるとともに、合計枚数表示Ｇｐ１において、図７の合計枚数表示Ｇｐ１に示す「２０枚」よりも１枚増加した合計枚数「２１枚」が表示される。
【００９６】
なお、図１１に示すコマ番号(ｎ)の画像を表示するプリント設定画面ＧＮ１１において、プリントボタン１３が押下された場合には、コマ番号(ｎ)の画像に対する注文処理ＳＴ１５(後で詳述)を行う。この場合には、コマ番号(ｎ)が最大で次のコマが存在しないため、コマ番号(ｎ)の画像を表示するプリント設定画面ＧＮ１１に復帰する。
【００９７】
(９)中央(実行)ボタン７ｅが押下されると、図１３に示すような拡大プリントプレビュー画面Ｇｐｗに移行する。拡大プリントプレビュー画面Ｇｐｗでは、表示倍率が１倍の画像Ｇｑが表示されるプリント設定画面Ｇｐ(図７参照)に対して、表示倍率が例えば２倍の画像Ｇｑｗが表示される一方、合計枚数表示Ｇｐ１や注文枚数表示Ｇｐ２などのプリント設定情報の表示はそのまま拡大されずに表示される。この拡大プリントプレビュー画面Ｇｐｗをユーザーが視認することによって、画像の詳細な確認が行える。
【００９８】
(１０)ＱＶボタン１１が押下されると、プリント設定画面から抜けて、例えばＲＡＭ５０ａに記憶されている遷移元モードの情報に基づき、プリント設定画面に移行する前の画面(例えば撮影モードのメニュー画面など)に遷移する。
【００９９】
(１１)シャッターボタン９が押下されると、撮影モードに移行してライブビュー表示が行われる。
【０１００】
以下では、図１１のステップＳＴ１２、ＳＴ１３およびＳＴ１５に関する注文記録動作を説明する。
【０１０１】
図１４は、コマ番号(ｎ)の画像に対するプリント注文記録の動作を示すフローチャートである。
【０１０２】
まず、プリントボタン１３などが押下されると、メモリカード９０内にプリント注文ファイルが存在するかを判定する(ステップＳＰ１)。ここで、プリント注文ファイルが存在する場合には、ステップＳＰ２に進み、存在しない場合にはステップＳＰ４に進む。
【０１０３】
ステップＳＰ２では、注文内容が変更されたかを判定する。例えば上ボタン７ａまたは下ボタン７ｂが押下されることにより、プリント枚数が増加または減少したかを判断する。ここで、注文内容が変更された場合には、ステップＳＰ３に進み、変更されていない場合には、本フローチャートを抜けてプリント注文記録の処理を終了する。
【０１０４】
ステップＳＰ３では、プリント注文対象であるコマ番号(ｎ)の画像の注文内容を、変更された内容によってプリント注文ファイルを更新する。
【０１０５】
ステップＳＰ４では、プリント注文ファイルを新規に作成する。これにより、プリントボタン１３が押下されてプリントモードに移行した場合には、確実にメモリカード９０内にプリント注文ファイルが生成されることとなる。
【０１０６】
ステップＳＰ５では、プリント注文対象であるコマ番号(ｎ)の画像の注文内容をプリント注文ファイルに記録する。
【０１０７】
ステップＳＰ６では、プリント合計枚数を更新する。これにより、プリント設定画面における合計枚数表示Ｇｐ１の表示が変更される。
【０１０８】
以上のプリント注文記録の動作により、ＬＣＤ５に表示中の撮影画像に対するプリント設定が行われると当該プリント設定の内容がメモリカード９０に確実に登録されることとなる。
【０１０９】
以上のデジタルカメラ１では、プリント設定画面において保留ボタン８ｃまたは削除ボタン８ｂが押下されない限り、プリント合計枚数が増え続けるが、プリント排除が明確な画像のみプリント注文を除外できるため、注文漏れを防止できユーザーの利便性が向上することとなる。
【０１１０】
次に、プリント設定画面においてメニューボタン８ａが押下されると、図１５に示すプリントメニュー画面Ｇｐｍに遷移するが、このプリントメニュー画面Ｇｐｍについて説明する。
【０１１１】
図１６は、プリントメニュー画面Ｇｐｍに表示される各項目を説明するための図である。この図１６を参照しつつ、プリント設定画面の機能を列挙して説明する。
【０１１２】
(１)プリント初期設定が指定されると、プリント指定に関して「枚数」または「プリントサイズ」が選択できる。
【０１１３】
(２)プリント合計枚数が指定されると、「料金を表示」、「枚数を表示」、「サイズ毎の枚数と合計枚数とを表示」または「表示しない」を選択できる。ここで、「料金を表示」が設定されると、図１７(ａ)に示すようにＬＣＤ５に料金の表示Ｇｐ１１が行われ、「枚数を表示」が設定されると、図１７(ｂ)に示すようにＬＣＤ５に合計枚数のみの表示Ｇｐ１２が行われる。また、「サイズ毎の枚数と合計枚数とを表示」が設定されると、図１７(ｃ)に示すようにＬＣＤ５に合計枚数とＬサイズおよび２Ｌサイズそれぞれの枚数の表示Ｇｐ１３が行われ、「表示しない」が設定されると、図１７(ｄ)に示すようにＬＣＤ５に合計枚数の表示を行わない。なお、料金を表示する場合には、メモリカード９０に記憶された情報に基づき料金が算出されることとなる。
【０１１４】
(３)インデックスプリントが指定されると、インデックスプリントを「する」または「しない」を選択できる。
【０１１５】
(４)プリント設定のオールリセットが指定されると、「実行する」または「中止」が選択できる。ここで、「実行」が選択された場合には、全てのプリント枚数の設定がデフォルトの１枚に戻ることとなる。
【０１１６】
(５)削除画像の復活が指定されると、「実行する」または「中止」が選択できる。ここで、「実行」が選択された場合でも、復活できる画像は直前に削除した画像のみである。
【０１１７】
以上説明したように、プリントメニュー画面Ｇｐｍに表示される各項目ごとに設定が行えるが、プリントメニュー画面Ｇｐｍにおいてメニューボタン８ａが押下されると、撮影日時に関する日付表示Ｇｐ５(図７)の写し込みの設定を行える。
【０１１８】
図１８〜図２０は、写し込み設定における動作を説明する図である。
【０１１９】
まずプリントメニュー画面Ｇｐｍにおいてメニューボタン８ａが押下されると、図１８(ａ)に示すような画面、つまり撮影日時の写し込みが行われない画面がＬＣＤ５に表示される。
【０１２０】
図１８(ａ)のような写し込み内容の非表示状態においてメニューボタン８ａが押下されると、図１８(ｂ)に示すような画面、つまり水平方向(横方向)に配列された撮影日時を示す「'03／5／7」の表示Ｇｐ５１が、ＬＣＤ５の画面左下に表示される。すなわち、メニューボタン８ａに対する操作入力に応答して写し込みの有無の設定を切替えられることとなる。
【０１２１】
図１８(ｂ)の表示状態においてメニューボタン８ａが押下されると、図１８(ｃ)に示すような画面、つまり水平方向(横方向)に配列された撮影日時を示す「'03／5／7」の表示Ｇｐ５２が、ＬＣＤ５の画面右下に表示される。
【０１２２】
図１８(ｃ)の表示状態においてメニューボタン８ａが押下されると、図１９(ａ)に示すような画面、つまり垂直方向(縦方向)に配列された撮影日時を示す「'03／5／7」の表示Ｇｐ５３が、ＬＣＤ５の画面左上に表示される。
【０１２３】
図１９(ａ)の表示状態においてメニューボタン８ａが押下されると、図１９(ｂ)に示すような画面、つまり垂直方向(縦方向)に配列された撮影日時を示す「'03／5／7」の表示Ｇｐ５４が、ＬＣＤ５の画面左下に表示される。
【０１２４】
図１９(ｂ)の表示状態においてメニューボタン８ａが押下されると、図１９(ｃ)に示すような画面、つまり水平方向(横方向)に配列された撮影日時を示す「7MAY2003」の表示Ｇｐ５５が、ＬＣＤ５の画面左下に表示される。この場合には、写し込まれる日付情報は同一であるが、そのフォーマットが異なるものに切り替えられる。すなわち、メニューボタン８ａに対する操作入力に応答して写し込みの態様が変更されることとなる。
【０１２５】
図１９(ｃ)の表示状態においてメニューボタン８ａが押下されると、図２０(ａ)に示すような画面、つまり水平方向(横方向)に配列された撮影日時を示す「7MAY2003」の表示Ｇｐ５６が、ＬＣＤ５の画面右下に表示される。
【０１２６】
図２０(ａ)の表示状態においてメニューボタン８ａが押下されると、図２０(ｂ)に示すような画面、つまり垂直方向(縦方向)に配列された撮影日時を示す「7MAY2003」の表示Ｇｐ５７が、ＬＣＤ５の画面左上に表示される。
【０１２７】
図２０(ｂ)の表示状態においてメニューボタン８ａが押下されると、図２０(ｃ)に示すような画面、つまり垂直方向(縦方向)に配列された撮影日時を示す「7MAY2003」の表示Ｇｐ５８が、ＬＣＤ５の画面左下に表示される。
【０１２８】
そして、図２０(ｃ)の表示状態においてメニューボタン８ａが押下されると、図１８(ａ)の表示状態（初期状態）に復帰する。
【０１２９】
以上のように、日付表示(写し込みの内容)が表示されるＬＣＤ５の画面位置の近傍に配設されている１のプリントボタン(操作部材)１３を押下することによって、サイクリックに撮影画像に対する写し込み設定を変更できる。
【０１３０】
そして、ユーザが所望する写し込み設定が表示される画面において、実行(中央)ボタン７ｅを押下することによって、所望の設定内容がプリント設定画面Ｇｐ(図７)における日付表示Ｇｐ５に反映される（ただし「写し込みなし」が設定される場合には日付表示Ｇｐ５が非表示となる）。これにより、メモリカード９０内の撮影画像フォルダＦａ(図５)に記録されている全ての撮影画像に対して同一の写し込みの設定(仮設定)が行なわれ、プリント設定画面Ｇｐでのプリントイメージの表示では、例えば図７の日付表示Ｇｐ５や図８の日付表示Ｇｐ５のように、写し込みの設定内容が全ての撮影画像について反映されることとなる。
【０１３１】
ただし、実際のプリント時に行われる写し込みの設定については、プリント設定画面Ｇｐでプリント注文の対象とされ、プリント注文ファイルＰｆに記録されている撮影画像のみに対して行われることとなる。これにより、プリント対象でない撮影画像に対して無駄な写し込みの設定を防止できる。
【０１３２】
上述の写し込み設定に関するデジタルカメラ１の具体的な動作を、次に説明する。
【０１３３】
図２１は、写し込み設定に関するデジタルカメラ１の動作を説明するための図である。
【０１３４】
メモリカード９０内の画像データＨＤ(図４)がカードＩ／Ｆ６０を介して読み出されると、圧縮／伸張部５２のデータ伸張部５２ａにおいて伸張処理が行われ、写し込みされる撮影日時との合成が全体制御部５０の合成処理部５５で行われる。そして、撮影日時が写し込み合成された画像データは、デジタルカメラ１の記憶部ＭＭでバッファメモリ５４（図３）に対応するＶＲＡＭに格納されることとなる。
【０１３５】
一方、メモリカード９０内のタグ(画像タグ)ＴＧ(図４)に記録された撮影日時の日付データ（写し込みの設定に関する情報）が読み出されると、記憶部ＭＭのＩ／Ｏ領域３０ａで取得したメニューボタン８ｃの操作情報に応じて、ＲＯＭ５０ｂに記憶される写し込みのフォント情報が、上記の日付データとともに全体制御部５０の回転処理部５６に入力された後に、配列決定部５７および表示位置決定部５８で順次に処理されて合成処理部５５に入力される。
【０１３６】
回転処理部５６では、例えば表示Ｇｐ５１（図１８(ｂ)）のような水平方向の配列と、表示Ｇｐ５４（図１９(ｂ)）のような垂直方向の配列とをメニューボタン８ｃの操作状況で変更するという撮影日時の回転処理が行われる。
【０１３７】
配列決定部５７では、例えば表示Ｇｐ５１（図１８(ｂ)）の「'03／5／7」のような年・月・日の順番、または表示Ｇｐ５５（図１９(ｃ)）の「7MAY2003」のような日・月・年の順番をメニューボタン８ｃの操作状況に応じて選択して、撮影日時の配列を決定する。
【０１３８】
表示位置決定部５８では、例えば表示Ｇｐ５１（図１８(ｂ)）のようなＬＣＤ５の画面左下の表示位置、表示Ｇｐ５２（図１８(ｃ)）のような画面右下の表示位置、または表示Ｇｐ５３（図１９(ａ)）のような画面左上の表示位置をメニューボタン８ｃの操作状況に応じて選択して、撮影日時が写し込まれる位置を決定する。
【０１３９】
そして、これらの回転処理部５６、配列決定部５７および表示位置決定部５８で処理された日付データが、合成処理部５５に入力され撮影画像に合成されて、例えば図７に示す日付表示Ｇｐ５のようにプリント対象の画像Ｇｑに重畳、つまり写し込みが行われてＬＣＤ５に表示されることとなる。なお、撮影画像に対する日付表示の合成位置の変更は、ＶＲＡＭ内のアドレスを、例えばＶＲ１からＶＲ２に変更することで行われる。
【０１４０】
＜デジタルカメラ１全般の動作について＞
以上ではプリントモードに関する動作を説明したが、このプリントモードと他のモード（撮影モードや再生モード）との関係などデジタルカメラ１全般の動作について、以下で簡単に説明する。
【０１４１】
図２２は、デジタルカメラ１の基本的な動作を示す状態遷移図である。
【０１４２】
まず、デジタルカメラ１の電源がオフの状態から電源ボタン３が押下されるとＲＯＭ５０ｂに記憶されている起動時のモードを判別する状態ＳＴ３１に遷移する。なお、デジタルカメラ１の出荷時は撮影モードに設定されている。
【０１４３】
そして、状態ＳＴ３１で判別されたモードが設定される状態ＳＴ３２に移行する。ここで、デジタルカメラ１のモードとしては、上述したプリントモード、撮影モード（１コマ撮影モード、動画モード、連写モード）および再生モードがあるが、ＱＶボタン１１やプリントボタン１３の押下によって、これら５種類のモードの切替えを行える。ここで、再生モードに設定される場合には、プリント設定画面Ｇｐ(図７)で表示されている写し込みの内容、つまり日付表示Ｇｐ５を撮影画像に重畳して表示しないこととする。これは、プリントプレビューモードでは写し込みが行われたプリントイメージを視認する必要があるものの、再生モードでは撮影画像全体を視認する必要があるためである。
【０１４４】
また、メニューボタン８ｃは、ファンクションキーとして構成されているが、プリントモードでは、上述したように写し込み設定を行う機能が割当てられているのに対して、撮影モードや再生モードでは、各モードのメニュー画面の表示および非表示を切替える機能が割当てられている。すなわち、メニューボタン８ｃについては、プリントイメージの表示を行うプリントモード(プリントプレビューモード)と、プリントモード以外の他のモードとで割当てられる機能が異なることとなる。
【０１４５】
状態ＳＴ３２においてメニューボタン８ａが押下された場合には、各モードに応じた各種メニューの設定が行える画面をＬＣＤ５に表示する状態ＳＴ３３に移行する。
【０１４６】
一方、状態ＳＴ３２において、電源ボタン３が押下されると、現在設定されているモードをＲＯＭ５０ｂに記憶する状態ＳＴ３４を経由して、デジタルカメラ１の電源がオフされる。
【０１４７】
以上のように撮影モード（１コマ撮影モード、動画モード、連写モード）および再生モードからは、プリントボタン１３を押下することで簡単にプリントモードに移行できる。そして、プリントモードでの写し込み設定では、メニューボタン８ｃを押下するだけで撮影日時の写し込み設定を切替えられ、写し込みがなされたプリントイメージを視認できるため、プリント注文の対象となる撮影画像への写し込みの設定ミスを防止できるとともに、簡易に写し込みの設定を行える。
【０１４８】
＜変形例＞
◎上記の実施形態においては、撮影日時を写し込むのは必須でなく、ロゴなどの表示を撮影画像に移し込むようにしても良い。
【０１４９】
◎上記の実施形態における写し込み設定においては、初期状態で「写し込みなし」という設定であるのは必須でなく、「写し込みあり」という設定であっても良い。
【図面の簡単な説明】
【０１５０】
【図１】本発明の実施形態に係るデジタルカメラの外観構成を示す図である。
【図２】デジタルカメラの外観構成を示す図である。
【図３】デジタルカメラの内部構成を示す図である。
【図４】メモリカードのデータ配列を示す図である。
【図５】プリント注文ファイルを説明するための図である。
【図６】プリント注文ファイルを説明するための図である。
【図７】プリント設定画面を説明するための図である。
【図８】プリント設定画面を説明するための図である。
【図９】プリントモードにおける動作を説明するための図である。
【図１０】プリントモードにおける動作を説明するための図である。
【図１１】プリントモードにおける動作を説明するための図である。
【図１２】プリントモードにおける動作を説明するための図である。
【図１３】拡大プリントプレビュー画面を説明するための図である。
【図１４】プリント注文記録の動作を示すフローチャートである。
【図１５】プリントメニュー画面を説明するための図である。
【図１６】プリントメニュー画面に表示される各項目を説明するための図である。
【図１７】プリント合計枚数に関する表示を説明するための図である。
【図１８】写し込み設定における動作を説明する図である。
【図１９】写し込み設定における動作を説明する図である。
【図２０】写し込み設定における動作を説明する図である。
【図２１】写し込み設定に関するデジタルカメラ１の動作を説明するための図である。
【図２２】デジタルカメラの基本的な動作を示す状態遷移図である。
【符号の説明】
【０１５１】
１  デジタルカメラ
５  液晶表示部（ＬＣＤ）
７ａ  上ボタン
７ｂ  下ボタン
７ｃ  左ボタン
７ｄ  右ボタン
７ｅ  中央(実行)ボタン
８ａ  メニューボタン
８ｂ  液晶モニタボタン(削除ボタン)
８ｃ  フラッシュモードボタン(保留ボタン)
９  シャッターボタン
１１  クイックレビューボタン（ＱＶボタン）
１３  プリントボタン
５０  全体制御部
５０ａ  ＲＡＭ
５０ｂ  ＲＯＭ
９０  メモリカード
Ｇｐ  プリント設定画面
Ｇｐ５、Ｇｐ５１〜Ｇｐ５８  日付表示
Ｇｐｍ  プリントメニュー画面
Ｇｐｗ  拡大プリントプレビュー画面
Ｐｆ  プリント注文ファイル
ＴＢ  プリント単価テーブル
【図１】
2005117453.tif 000003
【図２】
2005117453.tif 000004
【図３】
2005117453.tif 000005
【図４】
2005117453.tif 000006
【図５】
2005117453.tif 000007
【図６】
2005117453.tif 000008
【図７】
2005117453.tif 000009
【図８】
2005117453.tif 000010
【図９】
2005117453.tif 000011
【図１０】
2005117453.tif 000012
【図１１】
2005117453.tif 000013
【図１２】
2005117453.tif 000014
【図１３】
2005117453.tif 000015
【図１４】
2005117453.tif 000016
【図１５】
2005117453.tif 000017
【図１６】
2005117453.tif 000018
【図１７】
2005117453.tif 000019
【図１８】
2005117453.tif 000020
【図１９】
2005117453.tif 000021
【図２０】
2005117453.tif 000022
【図２１】
2005117453.tif 000023
【図２２】
2005117453.tif 000024